(57)【要約】【課題】  柱をはさんで左右に直線状に配置した外壁パネルの表面のずれを防止して外壁の良好な外観を確保できるようにした外壁パネルの配設構造を提供する。【解決手段】  柱１をはさんで左右に直線状に配置した外壁パネル２の対向端面における表裏方向の裏側端部にさね用の切欠状の凹部３をそれぞれ形成する。左右の一対の圧入突部５をその裏方で連結部６にて連結して接続具４を形成する。接続具４の圧入突部５をそれぞれ外壁パネル２の凹部３と柱１との隙間に裏方から圧入すると共に接続具４の連結部６を柱１の裏方に沿わせるようにして一対の外壁パネル２の間に接続具４を配置する。裏方から圧入突部５を貫通させて外壁パネル２の凹部３に釘等の固着具７を打入して接続具４と一対の外壁パネル２同士を接続する。【選択図】        図１
2005155035.tif 000002
【特許請求の範囲】
【請求項１】
柱をはさんで左右に直線状に配置した外壁パネルの対向端面における表裏方向の裏側端部にさね用の切欠状の凹部をそれぞれ形成し、左右の一対の圧入突部をその裏方で連結部にて連結して接続具を形成し、接続具の圧入突部をそれぞれ外壁パネルの凹部と柱との隙間に裏方から圧入すると共に接続具の連結部を柱の裏方に沿わせるようにして一対の外壁パネルの間に接続具を配置し、裏方から圧入突部を貫通させて外壁パネルの凹部に釘等の固着具を打入して接続具と一対の外壁パネル同士を接続したことを特徴とする外壁パネルの配設構造。
【請求項２】
中空に形成した圧入突部の側方に小径の挿通孔を穿孔すると共に圧入突部の裏方に大径の貫通孔を穿孔し、貫通孔を挿通させた工具の先端で固着具を挿通孔に挿通させて外壁パネルの凹部に打入したことを特徴とする請求項１記載の外壁パネルの配設構造。
【発明の詳細な説明】
【技術分野】
【０００１】
本発明は、柱をはさんで左右に直線状に配置した外壁パネルの配設構造に関するものである。
【背景技術】
【０００２】
従来から、図４のように、外壁は建物躯体の柱１間に複数枚の外壁パネル２を直線状に連設させることで形成される。この外壁パネル２は、図５のようにその上下で建物躯体の土台２９に設置した支持金具３０と建物躯体の梁３１に取付けた連結金具３２などによって固定されることで建物躯体に立設されるのであり、また、外壁パネル２の左右の端面にはさね用のあいじゃくり状の凸部１２または凹部３が形成され、この凸部１２と凹部３とのさね結合によって直線上に配置した外壁パネル２同士を一体に接続することが行われている。
【０００３】
ところで、建物躯体の柱１に隣接して配置した外壁パネル２の配設構造は図６のようになっている。具体的に、この外壁パネル２の配設構造は、柱１をはさんで左右に直線状に外壁パネル２が配置され、これら外壁パネル２の対向端面には表裏方向の裏側端部にさね用の切欠状の凹部３がそれぞれ形成され、外壁パネル２の凹部３と柱１との隙間にそれぞれ内アダプター２８が柱１の裏方から圧入されると共に、外壁パネル２の対向端面における表裏方向の表側端部と柱１との隙間に外アダプター２０が圧入されている。このスペーサである内アダプター２８及び外アダプター２０によると、柱１からの距離を一定に保つように外壁パネル２を位置決めして配設できるのである。つまり、外壁施工は、外壁パネル２を一旦仮固定状態で立設させ、柱１と外壁パネル２の端面との隙間に内アダプター２８及び外アダプター２０を圧入させて柱１からの左右方向の所定位置に外壁パネル２を位置規制し、この状態で外壁パネル２を本固定することで行われている。
【０００４】
なお、外壁パネル２は、側縁になると共にさね用の凸部１２や凹部３が形成されるパネル枠８を有し、このパネル枠８の裏面に板状の内装材９を貼着し、パネル枠８の内部に断熱材１０を配置し、パネル枠８の表面に板状の外装材１１を貼着して形成されている。そして、各外壁パネル２を直線状に接続させた外壁の部位では、外装材１１が面一状態で連続するので外壁の外観良い仕上がりが確保されている。また、外壁において外壁パネル２が配設されない柱１の部位では、柱１の表側を覆うように柱カバー２３が配設される。この柱カバー２３は外壁パネル２の外装材１１と同材料の外装部２４を裏打ち板材２５の表面に積層して形成されたものであり、外装部２４より左右に突出した裏打ち板材２５の左右端部を外アダプター２０の表面にあてて釘等の固着具２６を打入させることで柱１の表側に被着される。そして、この柱カバー２３の外装部２４を外壁パネル２の外装材１１と面一状態にさせることで外壁の外観良い仕上がりを確保しようとしている（たとえば、特許文献１及び特許文献２参照）。
【０００５】
ところが、上記柱１近傍における外壁パネル２の配設構造にあっては、外壁パネル２や柱カバー２３の表面を面一状態にできない恐れがあり、外壁の良好な外観の確保がされないものであった。つまり、直線状に接続させた各外壁パネル２は当然に各外装材１１が面一状態を保つことができるのであるが、柱１の左右に隣接して配設された外壁パネル２の間では個々に内アダプター２８や外アダプター２０による位置決めが為されるため、図７のように柱１の左右で外壁パネル２の表裏方向の配設位置がずれてしまう恐れがあるのであった。言い換えると、外壁パネル２と柱１との隙間に圧入される内アダプター２８や外アダプター２０によっては、柱１からの左右方向への所定位置に外壁パネル２が位置規制されるものの、外壁パネル２の表裏方向の位置規制はできないのであり、柱１の左右の外壁パネル２の間でその表面位置が表裏方向にずれた状態に施工されてしまうこともあるのであった。更に言うと、外壁パネル２は施工不良などから表裏方向に反った状態で立設されてしまうことも起こり得るのであるが、表裏方向の位置規制がされない外壁パネル２は上記外壁パネル２の反りを抑制することもできず、この外壁パネル２の反りが、そのまま柱１の左右の外壁パネル２の間での表面位置の表裏方向へのずれとなって現れてしまうこともあった。そして、このような状態で柱１をはさんで配設された外壁パネル２の間に柱カバー２３を配設しても、左右いずれかの外壁パネル２と柱カバー２３との表面の間で表裏方向への段差が生じてしまうのであって、外壁の良好な外観を得ることができないことがあった。
【特許文献１】特開平１０−１９３８２５号公報
【特許文献２】特開平１０−２３７９６８号公報
【発明の開示】
【発明が解決しようとする課題】
【０００６】
本発明は上記の従来の問題点に鑑みて発明したものであって、柱をはさんで左右に直線状に配置した外壁パネルの表面のずれを防止して外壁の良好な外観を確保できるようにした外壁パネルの配設構造を提供することを課題とするものである。
【課題を解決するための手段】
【０００７】
上記課題を解決するために本発明の請求項１に係る外壁パネルの配設構造は、柱１をはさんで左右に直線状に配置した外壁パネル２の対向端面における表裏方向の裏側端部にさね用の切欠状の凹部３をそれぞれ形成し、左右の一対の圧入突部５をその裏方で連結部６にて連結して接続具４を形成し、接続具４の圧入突部５をそれぞれ外壁パネル２の凹部３と柱１との隙間に裏方から圧入すると共に接続具４の連結部６を柱１の裏方に沿わせるようにして一対の外壁パネル２の間に接続具４を配置し、裏方から圧入突部５を貫通させて外壁パネル２の凹部３に釘等の固着具７を打入して接続具４と一対の外壁パネル２同士を接続したことを特徴とする。
【０００８】
これによると、柱１をはさんで左右に直線状に配置した一対の外壁パネル２同士を接続具４によって所定位置に位置規制をさせつつ一体に接続させることができることから、接続具４によって柱１をはさんで配置した外壁パネル２の表面位置を同位置に固定できるのであり、外壁の良好な外観を確保することができるのである。更に言うと、上記接続具４と外壁パネル２との位置決めを伴った固定構造は外壁パネル２にもともと設けられたさね用の凹部３を利用することで行っているから、構造の複雑化の回避も図られている。
【０００９】
また、請求項２に係る外壁パネルの配設構造は、請求項１において、中空に形成した圧入突部５の側方に小径の挿通孔１７を穿孔すると共に圧入突部５の裏方に大径の貫通孔１６を穿孔し、貫通孔１６を挿通させた工具の先端で固着具７を挿通孔１６に挿通させて外壁パネル２の凹部３に打入したことを特徴とする。
【００１０】
これによると、外壁パネル２の凹部３に打入した後の固着具７は中空の圧入突部５の内部に位置されるのであり、つまり外壁パネル２の凹部３に打入した後の固着具７を外壁パネル２と柱１との隙間を利用して裏方に突出しないように収納させることができるのである。
【発明の効果】
【００１１】
本発明の請求項１の外壁パネルの配設構造は、柱をはさんで左右に直線状に配置した外壁パネルの対向端面における表裏方向の裏側端部にさね用の切欠状の凹部をそれぞれ形成し、左右の一対の圧入突部をその裏方で連結部にて連結して接続具を形成し、接続具の圧入突部をそれぞれ外壁パネルの凹部と柱との隙間に裏方から圧入すると共に接続具の連結部を柱の裏方に沿わせるようにして一対の外壁パネルの間に接続具を配置し、裏方から圧入突部を貫通させて外壁パネルの凹部に釘等の固着具を打入して接続具と一対の外壁パネル同士を接続したので、接続具によって柱をはさんで配置した外壁パネルの表面位置を同位置に固定できるのであって、外壁の良好な外観を確保することができるという効果を有している。また、上記接続具と外壁パネルとの位置決めを伴った固定構造は外壁パネルにもともと設けられたさね用の凹部を利用することで行っているから、構造の複雑化を回避できる効果も有している。
【００１２】
また、請求項２の外壁パネルの配設構造は、請求項１の効果に加えて、中空に形成した圧入突部の側方に小径の挿通孔を穿孔すると共に圧入突部の裏方に大径の貫通孔を穿孔し、貫通孔を挿通させた工具の先端で固着具を挿通孔に挿通させて外壁パネルの凹部に打入したので、外壁パネルの凹部に打入した後の固着具は中空の圧入突部の内部に位置されるのであり、つまり外壁パネルの凹部に打入した後の固着具を外壁パネルと柱との隙間を利用して裏方に突出しないように収納させることができるのであって、柱を介して連結する１対の外壁パネルの裏面（室内側）の仕上り状態を良好にできる効果を有している。
【発明を実施するための最良の形態】
【００１３】
本発明は、柱１をはさんで左右に直線状に配置した各外壁パネル２の表面位置を同位置にして外壁の外観向上を図り得るようにした外壁パネル２の配設構造であり、図１〜３に本発明の実施の形態の例を示す。図２のように外壁は並べて配置した外壁パネル２にて形成されるのであるが、この外壁パネル２は、外壁パネル２の側縁を構成するパネル枠８を有し、このパネル枠８の裏面に板状の内装材９を貼着し、パネル枠８の内部に断熱材１０を配置し、パネル枠８の表面に板状の外装材１１を貼着することで形成されている。たとえばパネル枠８は木製の桟材で構成され、断熱材１０は発泡材で構成され、外装材１１は窯業系のボード材で構成される。この外壁パネル２は左右の側縁に直線上に連続接続するためのさねが形成されている。本例の外壁パネル２の左右の側縁に設けるさねにはあいじゃくり状のさねが採用されている。あいじゃくり状のさねは、外壁パネル２の端面における表裏方向の半分に左右方向の外方向に突出する凸部１２を設けると共に残り半分に左右方向の内方向に凹没する切欠状の凹部３を設けて形成されるさねである。
【００１４】
厳密には、外壁を構成する外壁パネル２には、外壁パネル２の左右の端面のあいじゃくりの形状が表裏方向で逆転して形成されている点対称形状にされた外壁パネル２ａ、外壁パネル２の左右の端面のあいじゃくりの形状が表裏方向の同位置に形成されている線対称形状にされた外壁パネル２ｂの２種類の外壁パネル２ａ，２ｂが用いられる。詳しくは、前者の外壁パネル２ａは、裏方向から見て外壁パネル２の左側端面における表裏方向の表側半部に凸部１２が形成されると共に裏側半部に凹部３が形成されており、外壁パネル２の右側端面における表側半部に凹部３が形成されると共に裏側半部に凸部１２が形成されているものである。一方、後者の外壁パネル２ｂは、外壁パネル２の左側端面及び右側端面における表裏方向の表側半部に凸部１２が形成されると共に裏側半部に凹部３が形成されているものである。
【００１５】
具体的に、直線状に外壁パネル２を並べて外壁を形成するには、背景技術同様、間隔をあけて立設した建物躯体の柱１の間に直線状に前者の外壁パネル２ａを順に並べ立てて配置すると共に続けて最後に後者の外壁パネル２ｂを配置することで行われるのであって、隣接する建物躯体の柱１の間にも上記と同様に各外壁パネル２を順に並べて配置していくことで行われる。ここで、隣合う外壁パネル２の対向端面にあってはさね用の凸部１２と凹部３の位置が表裏方向で反転した位置にあり、この凸部１２と凹部３とのさね結合によって隣接する外壁パネル２同士は位置規制されつつ直接一体的に接続されている。なお、この一体に接続された各外壁パネル２の表面は当然に面一状態になるので外壁の良好な外観は確保される。
【００１６】
また、このように複数枚の外壁パネル２を直線状に並べて配置したときには、柱１をはさんで左右に隣接する一対の外壁パネル２は柱１の左右で種類の異なるものとなるが、図１のように、柱１をはさんで柱１の左右に隣接配置された一対の外壁パネル２にあっては、それら対向端面における表裏方向の裏半部に凹部３がそれぞれ位置するように配置されている。なお、外壁パネル２の立設（後述する仮配置及び本配置）は、背景技術同様、建物躯体の土台２９に設置した支持金具３０や建物躯体の梁３１に取付けた連結金具３２などを用いて外壁パネル２の上下部分を建物躯体に固定させることで行われている（図５参照）。
【００１７】
本発明は上述したように柱１をはさんで左右に直線状に配置した各外壁パネル２の表面位置を同位置にするものであるが、これは、背景技術で用いられていた内アダプター２８の代わりに、図３の接続具４を用いたことで可能にさせている。この接続具４は、金属製の断面略コ字状の枠材であり、溝底片１３の左右端部からそれぞれ溝側片１４を略直交に突出させることで主体が形成され、溝底片１３と溝側片１４とが連結する角部には一対の溝側片１４及び溝底片１３で囲まれた溝部の溝外方向に広がる圧入突部５がそれぞれ形成され、また、一対の溝側片１４の突出先端には溝部の溝内方向に折り曲げた爪部１５がそれぞれ形成されている。つまり、接続具４は左右の一対の圧入突部５を溝底片１３である連結部６によって一体に連結させた構成を有している。更に言うと、溝底片１３はその左右端の部位で各圧入突部５の一部を構成するのであるが、この圧入突部５を構成する溝底片１３の部位は溝底片１３の中央部位に比べて溝外方向に突出すると共に貫通孔１６が穿孔されており、また、溝側片１４は溝底片１３への連結部位で圧入突部５の残りの一部を構成するのであるが、この圧入突部５を構成する溝側片１４の部位は溝側片１４の他の部位（先端部位）に比べて溝外方向に突出すると共に挿通孔１７が穿孔されている。なお、溝底片１３の貫通孔１６はネジ廻しや釘打入用の工具が挿入可能な程の大径に形成されており、溝側片１４の挿通孔１７は後述するネジや釘等の固着具７の頭部７ａが通り抜けない程度の小径に形成されている。
【００１８】
そして、この接続具４は図１のように柱１をはさんで配置した１対の外壁パネル２の間に配設される。詳しくは、この接続具４は、柱１をはさんで１対の外壁パネル２を仮配置させた後に、柱１の裏方から溝部内に柱１を嵌合させるように配設される。換言すると、接続具４は、柱１の裏面に溝底片１３を沿わせると共に柱１の左右の側面に溝側片１４を沿わせて柱１の表面に爪部１５をそれぞれ引掛けることで、柱１の裏方からガタつきない状態で柱１に被着されるのである。そして、接続具４の柱１への被着時には、柱１の側方に位置した一対の外壁パネル２の凹部３に接続具４の一対の圧入突部５がそれぞれ圧入される。ここで、外壁パネル２の凹部３への接続具４の圧入突部５の圧入は、圧入突部５を構成する溝側片１４と圧入突部５を構成しない溝側片１４の先端部位との間の段部１８が外壁パネル２の凹部３と凸部１２との段部１９に当接させるように行われる。
【００１９】
この外壁パネル２の凹部３への接続具４の圧入突部５の圧入によると、圧入突部５が柱１と外壁パネル２の隙間に圧入されることから、柱１をはさんで配置した外壁パネル２は柱１からの左右方向への所定位置に位置規制されることとなり、また同時に、上記接続具４の圧入突部５による段部１８が外壁パネル２の段部１９に当接されるので、柱１をはさんで配置した一対の外壁パネル２は接続具４に対して表裏方向の所定位置にそれぞれ位置規制され、つまり、柱１をはさんで配置した外壁パネル２同士の表面を面一状態に位置させることが可能にされている。更に言うと、外壁パネル２の凹部３と接続具４の圧入突部５とは合致可能な形状にされており、外壁パネル２の凹部３への圧入突部５の適宜の圧入時には圧入突部５を構成する溝底片１３が外壁パネル２の裏面と面一状態になって、接続具４の圧入突部５が外壁パネル２の凹部３へ適宜圧入されたか否かが容易に判別可能であると共に、外壁パネル２の裏面（内装材９の表面）にクロスなどの内装材９を更に積層する際に面一状態に積層できて内装仕上げの向上も図られている。
【００２０】
この外壁パネル２の凹部３への接続具４の圧入突部５の圧入後には、接続具４と柱１の左右の一対の外壁パネル２との固定が行われる。本例では、接続具４の裏方からねじや釘等の固着具７を、接続具４の圧入突部５を貫通して外壁パネル２の端面に打入させることで行っている。詳しくは、ねじ廻しや釘打入用の工具の先端に固着具７を装着し、この固着具７を溝底片１３の貫通孔１６、溝側片１４の挿通孔１７に順に挿通させて外壁パネル２の凹部３に打入するのであり、つまり、接続具４の裏方から溝底片１３の貫通孔１６に工具を挿通させた状態での簡単な固着具７の打入作業が可能とされている。なお、外壁パネル２の凹部３に打入した固着具７は、その頭部７ａが中空の圧入突部５の内部に位置されるのであり、固着具７が接続具４の裏方に突出しないようにされており、つまり外壁パネル２の凹部３に打入した後の固着具７を外壁パネル２と柱１との隙間を利用して裏方に突出しないように収納させることができるのであって、柱１を介して連結する１対の外壁パネル２の裏面（室内側）の良好な仕上り状態を確保しているのである。このように、圧入突部５を凹部３に圧入させた状態で接続具４と一対の外壁パネル２とを固定させたことで、一対の外壁パネル２は左右方向及び表裏方向の所定位置に強固に位置決めが施された状態にされるのである。
【００２１】
なお、一対の外壁パネル２の凸部１２が柱１をはさんで対向する柱１の側面の表側の部位では、外壁パネル２の凸部１２と柱１の側面との間に隙間が生じているが、この隙間には背景技術同様の外アダプター２０が柱１の表側から圧入される。この外アダプター２０は、柱１の表面に当接させる基部２１から上記隙間に圧入させる圧入部２２を一体に形成した隙間埋め部材（スペーサ）であり、本例では比較的硬質な樹脂成形品を用いている。この外アダプター２０の外壁パネル２の凸部１２と柱１の側面との隙間への圧入によると、上記柱１をはさんで配置された一対の外壁パネル２が更に強固な固定状態となる。そして、上述したように柱１をはさんで配置した一対の外壁パネル２の間に接続具４及び外アダプター２０を配設した後には、これら外壁パネル２に支持金具３０や連結金具３２による本固定が施されて外壁パネル２を建物躯体に本固定させるのであり、また、背景技術同様、柱カバー２３の裏打ち板材２５を外アダプター２０の基部２１の表面に当ててネジや釘などの固着具２６を外アダプター２０の基部２１に打入させることで柱カバー２３を柱１の表側に配設し、更に、隣接する柱カバー２３の外装部２４と外壁パネル２の外装材１１との間、隣接する外壁パネル２の外装材１１同士の間に目地材２７を充填することで、図２のように外壁を完成させるのである。
【００２２】
上述のようにして形成された本例の外壁は、柱１をはさんで左右に直線状に仮配置した一対の外壁パネル２同士を接続具４によって所定位置に位置規制させており、詳しくは、各外壁パネル２の凹部３に接続具４の一対の圧入突部５を圧入させたとき、圧入突部５の表方向に面する端面（段部１８）と凹部３の裏方向に面する端面（段部１９）とを当接させ、柱１をはさんで配置した外壁パネル２を左右方向は勿論、表裏方向にも位置規制させているので、柱１をはさんで配置した外壁パネル２同士の表面を面一状態にさせた状態で外壁パネル２を本固定できるのであり、その後上記柱１をはさんで配置した外壁パネル２の間に柱カバー２３を配設しても、各外壁パネル２の表面と柱カバー２３の表面とを面一状態にできるのであり、したがって、外壁の良好な外観を確保することができたものである。
【００２３】
更に言うと、上記のように柱１をはさんで配置した外壁パネル２の隣接する端部は接続具４によって互いに連結した状態で表裏方向に位置規制がされていることから、施工不良などから外壁パネル２が表裏方向に反ってしまっても、少なくとも外壁パネル２の隣接する端部では上記反りを抑制して所定位置に位置規制されるのであり、このような場合にも柱１をはさんで配置した外壁パネル２の表面位置を同位置に位置させることができ、外壁の良好な外観を確保することが可能にされている。
【００２４】
また、このように本例の外壁の良好な外観は接続具４による位置決めを伴った外壁パネル２の配設構造によって確保されているのであるが、この外壁パネル２の配設構造は外壁パネル２にもともと設けられたさね用の凹部３を接続具４の配設に利用したものであり、外壁パネル２に特別な構造を要求するものではなく、したがって構造の複雑化も回避されているといった利点も有しているのである。
【００２５】
なお、上記接続具４や外アダプター２０は、外壁パネル２の上下に亙る長尺のものであっても、外壁パネル２の上下には亙らない短尺のものであっても、柱１をはさんで配置した外壁パネル２の位置規制は可能であるから、どちらのものを用いても構わない。殊に、短尺の外アダプター２０や接続具４であれば外アダプター２０や接続具４にかかるコストの低減を図ることができる利点もある。また、長尺の外アダプター２０であれば柱カバー２３を取付ける際に上下方向の任意の位置でネジや釘等の固着具２６を打入させることができて利便性が向上する。無論、長尺の外アダプター２０や接続具４であれば、外壁パネル２の位置規制を上下に亙って施すことができて外壁の良好な外観の確保の確実性が向上できるのは言うまでもない。
【００２６】
更に言うと、本例の接続具４は溝側片１４の先端に接続具４を柱１に引掛けて被着させるための爪部１５が設けられているが、接続具４はそもそも圧入突部５を外壁パネル２の凹部３に圧入させるもので、この柱１と外壁パネル２の凹部３との隙間に圧入突部５を圧入させたことで接続具４を柱１と外壁パネル２とに挟持、配設させることができるのであるから、図示はしないが爪部１５を無くした接続具４を用いても本例同様に外壁の良好な外観が確保できるのである。なお、爪部１５を有した本例の接続具４によると、あらかじめ柱１に仮に被着しておくことも可能で、施工作業手順の選択肢を広げて作業性の向上を図ることも可能であるといった利点も有している。
【図面の簡単な説明】
【００２７】
【図１】本発明の実施の形態の例を示す外壁の一部を示す平面断面図である。
【図２】同上の外壁全体を示す平面断面図である。
【図３】同上の接続具の斜視図である。
【図４】背景技術の外壁全体を示す平面断面図である。
【図５】同上の外壁の側断面図である。
【図６】同上の外壁の一部を示す平面断面図である。
【図７】同上の問題点を説明する外壁の一部を示す平面断面図である。
【符号の説明】
【００２８】
１  柱
２  外壁パネル
３  凹部
４  接続具
５  圧入突部
６  連結部
７  固着具
【図１】
2005155035.tif 000003
【図２】
2005155035.tif 000004
【図３】
2005155035.tif 000005
【図４】
2005155035.tif 000006
【図５】
2005155035.tif 000007
【図６】
2005155035.tif 000008
【図７】
2005155035.tif 000009